(57)【要約】【課題】組み合わせた状態で、重なりにより生じる凹凸を少なくした留め具を提供する。【解決手段】一側面側に留め部を有するフレームとフレームに設けられたフック部を有する雄留め具と、一側面側に留め部を有するフレームからなり雄留め具と重なるフレーム位置が雄側フレームを収納する収納湾曲部となった雌留め具で構成される。【選択図】            図１
2004249047.tif 000002
【特許請求の範囲】
【請求項１】
一側面側に留め部を有するフレームとフレームに設けられたフック部を有する雄留め具と、一側面側に留め部を有するフレームからなり雄留め具と重なるフレーム位置が雄側フレームを収納する収納湾曲部となった雌留め具とよりなる留め具セット。
【請求項２】
雄留め具のフック部が雌留め具との結合状態において少なくとも両フレームの一面側へは突出しない状態で湾曲したものであることを特徴とする請求項１記載の留め具セット。
【発明の詳細な説明】
【０００１】
【発明の属する技術分野】
ブラジャーやズボン、スカート等の左右を引き合って固定する、雄留め具並びに雌留め具並びに留め具セットに関するものである。
【０００２】
【従来の技術】
従来の留め具は雄側、雌側共にフラットなフレームを有するものであり、雄側のフック部がフレーム構成面から肌側に折り返されて突き出した形状となっていた。
【０００３】
【発明が解決しようとする課題】
従来の留め具は、雄側のフック部がフレーム構成面から肌側に折り返されて突き出した形状となっており、その先端付近が局所的に肌に当たり痛みを感じさせていた。また突きだしているため生地二枚がぴったり接触せず、機能的にもまた美的にも問題が残る。洗濯をするときもフック部と生地へ縫いつけた個所との間に空間があるために余計に他の衣類を引っかけることになっている。そのためネットに入れて洗濯しているが、それでもネットから突き出しネットを引っかけることもあり、他の洗濯物を痛めたり絡めたりしている。
【０００４】
【課題を解決するための手段】
一側面側に留め部を有するフレームとフレームに設けられたフック部を有する雄留め具と、一側面側に留め部を有するフレームからなり雄留め具と重なるフレーム位置が雄側フレームを収納する収納湾曲部となった雌留め具で構成される。
【０００５】
【発明の実施の形態】
以下、本発明の実施の形態を説明する。三ツ股状の雄留め具（８）と、コあるいは係合用フレーム（２）に対応する辺が少し内側に凹んだコか、Ｃ、Ｕ状等に類する雌留め具（５）を一対としている。
図１〜図９を用いて、第１の実施の形態を説明する。先ず図１，２の凹凸を有する雌留め具について述べる。Ｕ状に線状材を曲げあるいはそのような型をとり、左右の側部フレーム（３）とそれを連結する係合用フレーム（２）を一体に設ける。雌留め具係合用フレーム中央部（１）は側部フレームとほぼ同様高度に位置し、雌留め具係合用フレーム中央部から左右側部フレームの中間位置が上方に湾曲する。側部フレームの端部をストッパー（４）として中に穴を設ける。次に図３、４の雄留め具は、外枠がＵ状を呈する平盤で、雄留め具係合用フレーム中央部（７）から、左右の側部フレームより短いフック（６）を側部フレームと同方向に設ける。側部フレームの端部をストッパーとして、前記のように中に穴を開けたり、当図のように碇型を象る等とした構造とする。ここではＵ状を基本としたが、その他のコ、Ｃ状等の形状はデザイン的にあるいは対とする留め具の形状に合わせて、あるいは外れにくくする目的等で選定する。これは以下に通じる。
取り付け方及び使い方について図１と図３を利用して述べる。それぞれの留め具を生地に縫いつける場合、取り付けた生地を重ね合わせる時、図８に示すように上又は外側になる側を生地の端部に留め具の先端を突き出した付け方をし、下又は内側になる側を生地に留め具全体を接触した付け方とする。先ず雌留め具を縫いつける上生地（１２）と、雄留め具を縫いつける下生地（１０）に、それぞれの雌雄の留め具の先端を向かい合わせて、ストッパーから側部フレームまでを生地に、糸又は固定用布（１１）で縫いつけたり押さえつけたりして固定する。雌留め具の場合、ストッパー部を生地に載せる固定の仕方でも、一部が袋の中あるいは二枚の生地の間等にあって固定する方法でも構わない。以上のようにして身に着ける時に一番心地よい位置となる個所に、一対の留め具を縫いつける。次に図５、８の平面図、図６、図９の側面図、図７の断面図のように、雌留め具係合用フレーム中央部を雄留め具の左右側部フレーム間に差し込むようにしてフックに引っかけ、手前に引く。雌留め具係合用フレームが雄留め具の首部（９）に引っかかって止まり、雌留め具係合用フレーム中央部（１）が底側に少し覗き出る。一対の留め具において、それぞれの側部フレーム間が同じ幅とは限らない。
【０００６】
図１０〜図１６を用いて第２の実施の形態を説明する。先ず図１０、１１について述べると、フック部に凹凸を有する雄留め具とする例である。つまり、Ｕ状に線状材を曲げ、あるいはそのような型を取り、左右の側部フレーム（３）とそれを連結する係合用フレーム（２）を構成する。該雄留め具の係合用フレームは側部フレームとほぼ同様高度に位置し、雄留め具係合用フレーム中央部（７）から側部フレームと同方向に側部フレームより短いフック（６）を設ける。この時フックの中間部を山状に湾曲させる。この先端は下に向けるか下に向けてから生地に対し平行に伸ばす。側部フレームの端部をストッパー（４）として中に穴を設ける。
図１と図１０の組合せの図１２、１３、１４、１５、１６の取り付け方及び使い方については、前記図１と図３の組合せと同様である。ただ前記と異なり、雄留め具の係合用フレーム中央部は底側には突き出さない。雌雄の曲がり具合がある一定の位置で止まるような固定位置の関係を有する場合は、そのはまり合う個所まで動かす。
【０００７】
図１７〜図２０を用いて第３の実施の形態について説明する。これは樹脂成型に適した構造の物である。枠を呈する型を枠型雄留め具（１３）、枠型雌留め具（１５）と呼び、その時のストッパーをステイックストッパー（１４）と呼ぶ。これらは全体的に平盤状の材料を湾曲等の加工で作成されたものである。図１７は、図１のストッパー（４）をステイックストッパーとしたもので、これは直線に限らず、フック（６）の突き出しをカバーするためにフック部の外枠形状に添うカーブ状としてもよい。次に図１８、１９の作り方について補足する。図１８はステイックストッパーを２本設けたもので、固定を強化しフック部の先端の厚みをより分散する目的とする。これらの取り付け方及び使い方、生地への縫いつけ方は前記と同様である。強いて言えば２本のスティックストッパーの両方を縫いつけるか１本にするかを形状や使用対象によって選べるところが相違する。またスティックストッパーの数はこの限りではない。
【０００８】
図２１〜図２３を用いてその他の実施の形態を説明する。
図２１は１個のリングか１本の線状体の離別と接触で、前記同様に雌雄留め具ａ、ｂを構成したものである。継ぎ目のないリング状が望ましいが、線状材で設け継ぎ目が残る場合はこれを接着し、使用時に出来るだけ問題の生じない個所に継ぎ目を置く。この取り付け方及び使い方は前記同様である。
図２２、２３については、側部フレーム（３）を互いに繋ぎ合った状態で前後同方向で三つ並べた状態で一体に設けられた三連雄留め具（１６）か、単体を生地に三個並べて縫いつけたものである。縫いつけ方は前記に通じる。使い方は、一番心地よい位置の雄留め具（８）のフック（６）に雌留め具（５）をひっかけて固定する。
尚、上記説明に付け加えると、雌留め具については、従来のフラットな形状の雌留め具を、凹凸を有する雄留め具と組合せて使用することが出来る。また当発明の底辺部ラインについては必ずしも水平とは限らず、使用する場所によっては当個所の曲面等に添ったカーブを有する。また、雄留め具側を長さ調節側として縫いつける場合以外に、雌留め具側を長さ調節側とする場合があり、後述の場合、三連等の雌留め具とするか、単体を同状態に並べて取り付ける。この時はこれまで説明した作り方取り付け方に対して、雄留め具と雌留め具の表裏形状を反対にして作る、あるいは生地に表裏を反対にして縫いつける、又は当発明の目的に添って一部の曲げ具合を変更して作成する。その他、横列に同方向で複数並べ場合もあり、雄型留め具のフックのみが複数並ぶ型や、それに対して空間の横幅を広くした大型雌留め具か、雌留め具の側部フレームを共有して並列したフック複数用の雌留め具が考えられる。これらは全て当発明の目的に添って作成され使用されるものとする。
【０００９】
【発明の効果】
イ  フック部の先端は、側部フレームによって取り付ける生地側に向く、あるいは側部フレームと同位置にあるので、雄側のフック部先端付近が局所的に肌に当たらない。
ロ  最小限の厚みで済む。
ハ  痛みが感じられにくくなる。
ニ  フックが突きださないため重ねたい生地二枚がぴったり接触し、機能的にも美的にも従来の問題が解消される。
ホ  フック部と生地に縫いつけた個所の間に空間がないので、他の洗濯物を絡み取り傷つけたりしない。
【図面の簡単な説明】
【図１】雌留め具（５）の平面図である。
【図２】雌留め具のａは側面図、ｂは正面図である。
【図３】平板状の雄留め具（８）の平面図である。
【図４】雄留め具のａは側面図、ｂは正面図である。
【図５】図１、３を繋ぎ合った状態の平面図である。
【図６】図１、３を繋ぎ合った状態の側面図である。
【図７】図１、３を繋ぎ合った状態の図５Ａ−Ａ断面図である。
【図８】図１、３を生地に縫いつけ繋ぎ合った状態の平面図である。
【図９】図１、３を生地に縫いつけた状態の側面図である。
【図１０】凹凸を設けた場合の雄留め具の斜視図である。
【図１１】図１０の雄留め具のａは側面図、ｂは正面図である。
【図１２】図１、１０を繋ぎ合った状態の平面図である。
【図１３】図１、１０の繋ぎ合った状態の側面図である。
【図１４】図１、１０を繋ぎ合った状態の図１２Ｂ−Ｂ断面図である。
【図１５】図１、１０を生地に縫いつけて繋ぎ合った状態の斜視図である。
【図１６】図１、１０を生地に縫いつけ繋ぎ合った状態の側面図である。
【図１７】樹脂成型に適した枠型雌雄留め具（１５、１３）の斜視図である。
【図１８】スティックストッパー（１４）を二本設けた枠型雌雄留め具の斜視図である。
【図１９】図１７、１８、１９を繋ぎ合った状態の斜視図である。
【図２０】図１９を生地に縫いつけ留め合わせた斜視図である。
【図２１】線状材で作成した一対である。
【図２２】三連雄留め具（１６）を長さ調節側とした平面図である。
【図２３】三連雄留め具（１６）か雄留め具（８）の複数を長さ調節側とした使用図である。
【符号の説明】
１  雌留め具係合用フレーム中央部
２  係合用フレーム        ３  側部フレーム          ４  ストッパー
５  雌留め具              ６  フック
７  雄留め具係合用フレーム中央部
８  雄留め具              ９  首部                １０  下生地
１１  糸又は固定用布      １２  上生地              １３  枠型雄留め具
１４  スティックストッパー
１５  枠型雌留め具        １６  三連雄留め具
【図１】
2004249047.tif 000003
【図２】
2004249047.tif 000004
【図３】
2004249047.tif 000005
【図４】
2004249047.tif 000006
【図５】
2004249047.tif 000007
【図６】
2004249047.tif 000008
【図７】
2004249047.tif 000009
【図８】
2004249047.tif 000010
【図９】
2004249047.tif 000011
【図１０】
2004249047.tif 000012
【図１１】
2004249047.tif 000013
【図１２】
2004249047.tif 000014
【図１３】
2004249047.tif 000015
【図１４】
2004249047.tif 000016
【図１５】
2004249047.tif 000017
【図１６】
2004249047.tif 000018
【図１７】
2004249047.tif 000019
【図１８】
2004249047.tif 000020
【図１９】
2004249047.tif 000021
【図２０】
2004249047.tif 000022
【図２１】
2004249047.tif 000023
【図２２】
2004249047.tif 000024
【図２３】
2004249047.tif 000025